(57)【要約】      （修正有）【課題】アンロック位置において、相手側コネクタの結合を阻止するコネクタを提供する。【解決手段】相手側コネクタ２に結合するためのコネクタ１は、接触素子を収容する収容チャンバ１３を備えた第１ハウジング部分４及び前記相手側コネクタ２のハウジング部分を受け入れる受口を備えた第２ハウジング部分５を有するハウジング３と、アンロック位置とロック位置との間において前記ハウジング３に回動可能に装着された少なくとも１つの補助ロック部材９と、を含み、前記補助ロック部材９は、該補助ロック部材９のロック位置において少なくとも１つの収容チャンバ１３に延びて入るロック部１０と、アンロック位置において前記コネクタ１への前記相手側コネクタ２の完全な結合を阻止すると共に、前記補助ロック部材９のロック位置において、完全な結合を可能にする阻止部１１と、を有している。【選択図】図１
2009110938.tif 000002
【特許請求の範囲】
【請求項１】
相手側コネクタ（２）に結合するためのコネクタ（１）であって、
接触素子（１９）を収容する収容チャンバ（１３）を備えた第１ハウジング部分（４）及び前記相手側コネクタ（２）のハウジング部分を受け入れる受口を備えた第２ハウジング部分（５）を有するハウジング（３）と、
アンロック位置とロック位置との間において前記ハウジング（３）に回動可能に装着された少なくとも１つの補助ロック部材（９）と、
を含み、
前記補助ロック部材（９）は、該補助ロック部材（９）の前記ロック位置において少なくとも１つの収容チャンバ（１３）に延びて入るロック部（１０）と、前記アンロック位置において前記コネクタ（１）への前記相手側コネクタ（２）の完全な結合を阻止すると共に、前記補助ロック部材（９）の前記ロック位置において、完全な結合を可能にする阻止部（１１）と、を有しているコネクタ。
【発明の詳細な説明】
【技術分野】
【０００１】
本発明は、相手側コネクタに結合するためのコネクタであって、該コネクタが前記相手側コネクタのハウジング部分用の受口を有すると共に補助ロック部材を備えており、該補助ロック部材がアンロック位置において前記コネクタへの前記相手側コネクタの結合を防止する、コネクタに関するものである。
【背景技術】
【０００２】
このようなコネクタは、独国特許出願公開第２００４０２６６６５号明細書から既知である。このコネクタは、該コネクタのハウジングにある長手方向軸線を横切る方向に往復動可能に案内されるスライダを備えている。このスライダは、コネクタの端面を越えて延びる止め部材を有している。スライダがコネクタの収容チャンバ内に保持された接触素子をロックしない第１位置において、止め部分は、コネクタへの相手側コネクタの結合を試みている間、該相手側コネクタが該止め部分に当接するように配設されているので、結合が阻止される。該相手側コネクタが該止め部分に当接しないとき、止め部分は、第２位置において、結合が可能とされる状態に押し込まれる。
【０００３】
欧州特許出願公開第１０７３１５３号明細書から既知の雌型接触素子用コネクタの場合、該コネクタのハウジングに、フィルムヒンジにより回動可能である補助ロック部材が形成されている。これらの補助ロック部材は、該補助ロック部材がアンロック位置にあるとき、コネクタの外側面を越えて延びている。このアンロック位置において、該補助ロック部材が受口の壁部の端面に当接するので、コネクタは相手側コネクタの受口に挿入されることができない。該補助ロック部材がロック位置に移動するときに、該ロック部材はコネクタの外側面と面一であるので、コネクタは相手側コネクタの受口に挿入されることができる。
【発明の開示】
【０００４】
本発明の目的は、相手側コネクタのための受口をもつコネクタであって、アンロック位置において該コネクタへの相手側コネクタの結合を阻止する少なくとも１つの補助ロック部材を有している、コネクタを提供することである。
【０００５】
この目的は、本発明に従って、相手側コネクタに結合するためのコネクタであって、接触素子を収容する収容チャンバを備えた第１ハウジング部分及び前記相手側コネクタのハウジング部分を受け入れる受口を備えた第２ハウジング部分を有するハウジングと、アンロック位置とロック位置との間において前記ハウジングに回動可能に装着された少なくとも１つの補助ロック部材とを含み、前記補助ロック部材は、該補助ロック部材の前記ロック位置において少なくとも１つの収容チャンバに延びて入るロック部と、前記アンロック位置において前記コネクタへの前記相手側コネクタの完全な結合を阻止すると共に、前記補助ロック部材の前記ロック位置において、完全な結合を可能にする阻止部と、を有するコネクタにより達成される。
【０００６】
こうして、コネクタのハウジングに回動可能に設けられた補助ロック部材の場合にも、アンロック位置において、コネクタへの相手側コネクタの結合を確実に防止する解決策が提供される。スライダは必要ではない。
【０００７】
この場合、前記阻止部は、前記相手側コネクタ２が、前記コネクタに結合するときに、端面で前記阻止部に当接して前記コネクタへの前記相手側コネクタの結合を阻止するように、配置されている。
【０００８】
前記補助ロック部材は、シーソーの形態であり、前記ロック部及び前記阻止部の間で前記ハウジングに回動可能に取り付けられている。従って、前記阻止部は、前記補助ロック部材をアンロック位置からロック位置に移行させるときに、ロック部とは反対方向に移動される。この場合、前記補助ロック部材は、フィルムヒンジを介して前記ハウジングと一体的に且つ回動可能に接続されることが好ましい。こうして、製造が特に簡単になり、また、別個の構成要素の組立てが不必要である。
【０００９】
前記阻止部は、前記補助ロック部材の前記アンロック位置において前記ハウジングの前記受口内に延びて入るように配置されていることが好ましい。こうすると、前記阻止部を前記アンロック位置において前記相手側コネクタを挿入しなければならないその個所に配置する簡単な可能性が与えられる。従って、誰かがこれをコネクタに結合しようとすれば、相手側コネクタがハウジング部分で阻止部に当接することが確実である。
【００１０】
前記阻止部は、前記補助ロック部材の前記ロック位置において、前記ハウジングの前記受口の外側に配置されることが好ましい。従って、該受口に障害はないので、前記相手側コネクタは該受口に挿入することができる。別の可能性は、前記阻止部が、該受口の内壁に当接すると共に、前記相手側コネクタを前記コネクタに結合するときに、該相手側コネクタの凹部に収容されることである。従って、前記阻止部は未だ該受口内に存在するが、それは前記相手側コネクタの面には当接しないであろう。前記コネクタの前記第１ハウジング部分は該受口を限定する端面を有しており、この端面を越えて前記阻止部が延びている。
【００１１】
前記ハウジングの前記第１ハウジング部分内には、前記収容チャンバが長手方向軸線と平行に設けられている。
【００１２】
前記接触素子の各々は、前記ハウジングの後側から始まって収容チャンバ内に挿入可能である。この場合、前記接触素子は完全に挿入された最終位置において前記第１ハウジング部分からの接触部分で前記受口内に延びて入ることができる。この場合、それらは前記端面を越えて突き出る。
【００１３】
好ましくは、少なくとも１つの補助ロック部材の前記ロック部は、前記ロック位置において前記収容チャンバの少なくとも１つの中に延入すると共に完全に挿入された接触素子のロック面に背後に係合する少なくとも１つのロック突起部を有していて、前記接触素子の引き出しを防止することが提案されており、その際、完全に挿入されていない接触素子が１つの場合、前記ロック突起部は、補助ロック部材を前記アンロック位置から前記ロック位置の方向に移動させるときに、前記接触素子の止め部に当接すると共に前記ロック位置内への前記補助ロック部材の移動を阻止する。
【００１４】
以下に、好適な実施形態が図面を利用して詳細に説明されている。
【発明を実施するための最良の形態】
【００１５】
図１及び図２は、本発明によるコネクタ１及び相手側コネクタ２の斜視図を共に示しており、該図について以下に一緒に説明する。この場合、図１は、コネクタ１に完全には結合されていない状態にある相手側コネクタ２を示し、図２は、完全に結合された状態を示している。
【００１６】
コネクタ１は、長手方向軸線Ｌに沿って第１ハウジング部分４と第２ハウジング部分５とに機能的に分離されたハウジング３を備えている。第１ハウジング部分４内には、長手方向軸線Ｌに平行に並べられた複数の収容チャンバ１３が、ここには示されていない接触素子のために配置されている。第１ハウジング部分４は、相手側コネクタ２用の受口６を形成する第２ハウジング部分５に合体している。第２ハウジング部分５はソケットとして形成されていて、該ソケット内に、相手側コネクタ２のハウジング７の前側ハウジング部分を挿入可能である。相手側コネクタ２のハウジング７もまた、ここには示されていない接触素子のため長手方向軸線Ｌに平行に並べられた複数の収容チャンバ８を有している。コネクタ１の接触素子は、雄型接触素子として形成されると共に、それぞれの収容チャンバ１３から突き出て受口６内に入っている。相手側コネクタ２の接触素子は、相手側コネクタ２のハウジング７内に配設される雌型接触素子として形成されている。図１に示した相手側コネクタ２の不完全結合位置において、雄型接触素子は雌型接触素子に接触しない。図２に示した相手側コネクタ２の完全結合位置において、雄型接触素子は雌型接触素子に結合され、その場合、雄型接触素子は相手側コネクタ２の収容チャンバ８内に入る。なお、相手側コネクタ２の収容チャンバ８は、ハウジング７の端面１６の開口で終わっている。
【００１７】
コネクタ１のハウジング３には４つの補助ロック部材９，９’，９”が設けられており、そのうちの３つは斜視図で目視できる。補助ロック部材９，９’，９”は同一であり互いに鏡像関係で形成されている。それらの機能は同一であるから、該機能は１つの補助ロック部材９を用いて以下に説明されている。
【００１８】
２つの補助ロック部材９，９’は、第１の枢回軸線Ｓ１を中心としてハウジング３の一側に枢回可能に配設されている。他の２つの補助ロック部材９”は、第２の枢回軸線Ｓ２を中心としてハウジング３の反対の他側に枢回可能に装着されている。２つの枢回軸線Ｓ１及びＳ２は、長手方向軸線Ｌに対して直角をなすと共に所定距離のところで、該長手方向軸線Ｌに交差する。
【００１９】
補助ロック部材９は、薄いフィルムヒンジ１７を介してハウジング３に装着されている。該補助ロック部材はロック部１０及び阻止部１１を有しており、ロック部１０は第１の枢回軸線Ｓ１の一側に配設されており、阻止部１１は第１の枢回軸線Ｓ１の他側に配設されているので、シーソーのような形式が実現されている。補助ロック部材９は、図１に示したアンロック位置と図２に示したロック位置との間で第１の枢回軸線Ｓ１を中心として枢回することができる。アンロック位置において、ロック部１０は、ロック位置よりも長手方向軸線Ｌに対して更に離れて配設されている。ロック部１０及び阻止部１１はシーソー状に形成されているので、阻止部１１は、図１に示すようにアンロック位置においては、図２に示したロック位置におけるよりも長手方向軸線Ｌの近くに、配設されている。
【００２０】
ロック部１０には、第１の枢回軸線Ｓ１と平行に延びるロック突起部１２が設けられている。このロック突起部１２は、ロック位置において、コネクタ１にある幾つかの収容チャンバ１３に係合する。このため、第１の枢回軸線Ｓ１と平行に配設されると共に収容チャンバ１３に延びて入る溝１８がコネクタ１のハウジング３に設けられている。後述するように、ロック部１０は、各接触素子のロック面の後ろで各収容チャンバ１３のためロック位置に係合するので、これは、各収容チャンバ１３から引き出されることができない。
【００２１】
図１に示すアンロック位置において、ロック突起部１２は、収容チャンバ１３内に配置されていないので、補助ロック部材９は接触素子をロックしない。基本的に、接触素子の主なロックは収容チャンバ１３内で行われるので、これらは基本的に収容チャンバ１３内に依然として保持される。
【００２２】
補助ロック部材９のアンロック位置において、この補助ロック部材９の阻止部１１の自由端１４は、コネクタ１の受口６内に配置されている。このため、外側から受口６内に達する貫通開口１５がハウジング３の第２ハウジング部分５に設けられている。従って、阻止部１１は、補助ロック部材９のアンロック位置において、貫通開口１５を介して受口６に延びて入る。自由端１４は、相手側コネクタ２をコネクタ１に結合するべく試みているときに、相手側コネクタ２がハウジング７の端面１６で阻止部１１の自由端１４に当接するように、配置されている。従って、補助ロック部材９，９’，９”がコネクタ１でそれらのロック位置に入っていないときに、コネクタ１が相手側コネクタ２に結合されうることが阻止される。
【００２３】
図２に示したアンロック位置において、阻止部１１は受口６の外側に配設されているので、相手側コネクタ２のハウジング７は、接触素子が結合されるように前方部で受口６内に完全に挿入されることができる。
【００２４】
図３は、図１及び図２によるコネクタ１及び相手側コネクタ２の長手方向断面図を示しており、この図で接触素子は雄型接触素子の形で概略的に示されている。ロック部材９は、図３においてアンロック位置に配置されており、ロック部材９”も同様である。従って、ロック突起部１２は収容チャンバ１３の外側に配置されている。更に、阻止部１１の自由端１４は受口６の内部に配置されており、その場合、相手側コネクタ２のハウジング７の端面１６は自由端１４に当接し完全には結合されることができない。更に、コネクタ１の接触素子１９は相手側コネクタ２の収容チャンバ８に入ることができないので、コネクタ１の接触素子１９と相手側コネクタ２の接触素子１９との間には何ら接触が得られないのを目視することができる。
【００２５】
図４は、図３と同じ長手方向断面図を示しており、同図において、補助ロック部材９，９”はそれらのロック位置にある。補助ロック部材９のロック突起部１２は、ここでは収容チャンバ１３内に配設されていると共に、接触素子１９のロック面２１の後方に係合するので、収容チャンバ１３からの接触素子１９の引出しが防止される。相手側コネクタ２は、完全に前側ハウジング部分をコネクタ１の受口６に入れて配置されている。接触素子１９は相手側コネクタ２の収容チャンバ８内に延びて入っていることが目視できるので、ここには図示しない相手側コネクタ２の接触素子との接触が確保される。
【００２６】
更に、長手方向断面図において、補助ロック部材９の阻止部１１がコネクタ１のハウジング３の端面２０を通過して延びていることが目視でき、この場合、阻止部１１は図３に示した補助ロック部材９のアンロック位置において接触素子１９よりも端面２０から更に遠くに延びていて、コネクタ１の接触素子１９が相手側コネクタ２の接触素子に接触できないことを確実にする。
【００２７】
図５は、フィルムヒンジ１７の領域におけるコネクタ１及び相手側コネクタ２の長手方向断面図を示しており、この図において補助ロック部材９はロック位置に示されている。
【００２８】
図６は、本発明による補助ロック部材の拡大図を示している。阻止部１１の自由端１４に切欠き２２が設けられていることが確認できる。図７から確認できるように、相手側コネクタ２は壁２３を自由端１４の上にして支持されている。この壁は、長手方向軸線Ｌと平行に延びる側方凹部２４を有しているので、該壁２３は、例えば図７に基づく自由端１４の上方の領域におけるように、この領域において、より狭く形成されている。自由端１４は切欠き２２を壁２３の上にして支持されるので、この壁２３は、凹部２４の領域、即ちより薄く形成される領域において、切欠き２２に係合する。従って、相手側コネクタ２を受口６に挿入せんと試みているときに、図７に示したアンロック位置からロック位置内への補助ロック部材９の移動は、阻止部１１がしっかり保持されているので、確実に阻止される。
【００２９】
ここで、本発明の前述したコネクタ装置の各特徴事項について、以下の項（ｉ）〜（ｘｉ）に簡潔に記載する。
【００３０】
（ｉ）  相手側コネクタ２に結合するためのコネクタ１であって、接触素子１９を収容する収容チャンバ１３を備えた第１ハウジング部分４及び前記相手側コネクタ２のハウジング部分を受け入れるの受口６を備えた第２ハウジング部分５を有するハウジング３と、アンロック位置とロック位置との間において前記ハウジング３に回動可能に装着された少なくとも１つの補助ロック部材９と、を含み、前記補助ロック部材９は、該補助ロック部材９のロック位置において少なくとも１つの収容チャンバ１３に延びて入るロック部１０と、アンロック位置において前記コネクタ１への前記相手側コネクタの完全な結合を阻止すると共に、前記補助ロック部材９のロック位置において、完全な結合を可能にする阻止部１１と、を有している、コネクタ。
（ｉｉ）  前記阻止部１１は、前記相手側コネクタ２が、前記コネクタ１に結合するときに、端面１６で前記阻止部１１に当接して前記コネクタ１への前記相手側コネクタ２の結合を阻止するように、配置されている、ことを特徴とする本発明に関する上記（ｉ）に記載のコネクタ。
（ｉｉｉ）  前記補助ロック部材９は、前記ロック部１０及び前記阻止部１１の間で前記ハウジングに回動可能に取り付けられている、ことを特徴とする本発明に関する上記（ｉ）及び（ｉｉ）に記載のコネクタ。
（ｉｖ）  前記補助ロック部材９は、フィルムヒンジ１７を介して前記ハウジング３に一体的に且つ回動可能に接続されている、ことを特徴とする本発明に関する上記（ｉ）〜（ｉｉｉ）のいずれか１つに記載のコネクタ。
（ｖ）  前記阻止部１１は、前記補助ロック部材９の前記アンロック位置において前記ハウジング３の前記受口６に延びて入る、ことを特徴とする本発明に関する上記（ｉ）〜（ｉｖ）のいずれか１つに記載のコネクタ。
（ｖｉ）  前記阻止部１１は、前記補助ロック部材９の前記ロック位置において、前記ハウジング３の受口６の外側に配置される、ことを特徴とする本発明に関する上記（ｉ）〜（ｖ）のいずれか１つに記載のコネクタ。
（ｖｉｉ）  前記第１ハウジング部分４は前記受口６を制限する端面２０を有しており、該端面を越えて前記阻止部１１が突き出ている、ことを特徴とする本発明に関する上記（ｉ）〜（ｖｉ）のいずれか１つに記載のコネクタ。
（ｖｉｉｉ）  前記収容チャンバ１３は前記ハウジングの長手方向軸線Ｌと平行に配置されている、ことを特徴とする本発明に関する上記（ｉ）〜（ｖｉｉ）のいずれか１つに記載のコネクタ。
（ｉｘ）  前記接触素子１９の各々は、前記ハウジング３の後側から始まって収容チャンバ１３内に挿入可能である、ことを特徴とする本発明に関する上記（ｉ）〜（ｖｉｉｉ）のいずれか１つに記載のコネクタ。
（ｘ）  前記接触素子１９は完全に挿入された最終位置において前記第１ハウジング部分４からの接触部分で前記受口６内に延びて入る、ことを特徴とする本発明に関する上記（ｉ）〜（ｉｘ）のいずれか１つに記載のコネクタ。
（ｘｉ）  前記少なくとも１つの補助ロック部材９の前記ロック部１０は、前記ロック位置において前記収容チャンバ１３の少なくとも１つの中に延入すると共に完全に挿入された接触素子１９のロック面２１に背後に係合する少なくとも１つのロック突起部１２を有し、前記接触素子１９の引き出しを防止し、完全に挿入されていない接触素子１９が１つの場合、前記ロック突起部１２は、補助ロック部材９を前記アンロック位置から前記ロック位置の方向に移動させるときに、前記接触素子１９の止め部に当接すると共に前記ロック位置内への前記補助ロック部材９の移動を阻止する、ことを特徴とする本発明に関する上記（ｉ）〜（ｘ）のいずれか１つに記載のコネクタ。
【図面の簡単な説明】
【００３１】
【図１】補助ロック部材がアンロック位置にある場合の相手側コネクタ付きの本発明によるコネクタを斜視する図である。
【図２】補助ロック部材がロック位置にある場合の図１の本発明によるコネクタと相手側コネクタとを斜視する図である。
【図３】図１のコネクタ及び相手側コネクタの長手方向断面図であり、この場合の断面図は、２つの補助ロック部材のロック部分を通っている。
【図４】補助ロック部材がロック位置にある場合の図３による長手方向断面図である。
【図５】図１のコネクタ及び相手側コネクタの長手方向断面図であり、この場合の断面図は、アンロック位置にある２つの補助ロック部材のフィルムヒンジを通っている。
【図６】補助ロックの拡大斜視図である。
【図７】相手側コネクタに支持されている状態の補助ロックの拡大斜視図である。
【符号の説明】
【００３２】
１      コネクタ
２      対のコネクタ（相手側コネクタ）
３      コネクタのハウジング
４      第１ハウジング部分
５      第２ハウジング部分
６      受口
７      相手側コネクタのハウジング
８      収容チャンバ
９      補助ロック部材
１０    ロック部
１１    阻止部
１２    ロック突起部
１３    収容チャンバ
１４    自由端
１５    貫通開口
１６    端面
１７    フィルムヒンジ
１８    溝
１９    接触素子
２０    端面
２１    ロック面
２２    切欠き
２３    壁
２４    凹部
Ｌ    長手方向軸線
Ｓ１    第１の枢回軸線
Ｓ２    第２の枢回軸線
【図１】
2009110938.tif 000003
【図２】
2009110938.tif 000004
【図３】
2009110938.tif 000005
【図４】
2009110938.tif 000006
【図５】
2009110938.tif 000007
【図６】
2009110938.tif 000008
【図７】
2009110938.tif 000009
【外国語明細書】
2009110938.tif 000010
2009110938.tif 000011
2009110938.tif 000012
2009110938.tif 000013
2009110938.tif 000014
2009110938.tif 000015
2009110938.tif 000016
2009110938.tif 000017
2009110938.tif 000018
2009110938.tif 000019
2009110938.tif 000020
2009110938.tif 000021
2009110938.tif 000022
【図１】
2009110938.tif 000023
【図２】
2009110938.tif 000024
【図３】
2009110938.tif 000025
【図４】
2009110938.tif 000026
【図５】
2009110938.tif 000027
【図６】
2009110938.tif 000028
【図７】
2009110938.tif 000029